【事件の表示】
　特許第２７９５１２５号「パチンコ機の表示器」の特許に対する特許異議の申立てについて、次のとおり決定する。
【結論】
　訂正を認める。
　特許第２７９５１２５号の特許を維持する。
【理由】
Ｉ．手続の経緯
　本件特許第２７９５１２５号の請求項１に係る発明は、平成５年３月１６日に特願平５−８１５１号として特許出願され、平成１０年６月２６日に特許の設定登録がなされ、その後、町田彬より特許異議の申立てがなされ、取消理由通知がなされたところ、その指定期間内に訂正請求がなされ、その訂正請求に対して訂正拒絶理由通知がなされ、その指定期間内である平成１１年１０月１２日に手続補正書が提出されたものである。
ＩＩ．補正の適否についての判断
イ．補正の内容
　特許権者が求めている補正の内容は、次のとおりである。
（１）「全文訂正明細書」
（ａ）全文訂正明細書中の特許請求の範囲の【請求項１】における
｛前記一対のガイド体（１４７、１４７）を、各々単独に、前記主溝（１４８、１４８）に沿って移動可能であると共に前記機構板（４１）に固定可能に形成することを特徴とするパチンコ機の表示器。｝を
｛前記一対のガイド体（１４７、１４７）を、前記主溝（１４８、１４８）沿って移動可能であると共に前記機構板（４１）に固定可能に形成することを特徴とするパチンコ機の表示器。｝に訂正する。
（ｂ）全文訂正明細書中の【０００４】における
｛前記一対のガイド体（１４７、１４７）を、各々単独に、前記主溝（１４８、１４８）に沿って移動可能であると共に前記機構板（４１）に固定可能に形成するものである。｝を
｛前記一対のガイド体（１４７、１４７）を、前記主溝（１４８、１４８）に沿って移動可能であると共に前記機構板（４１）に固定可能に形成するものである。｝に訂正する。
（ｃ）全文訂正明細書中の【０００５】における
｛【作用】
一対のガイド体（１４７、１４７）は、各々単独に、主溝（１４８、１４８）に沿って移動できるため、大きさを異にする表示器（１８）を取り付けることができると共に移動できる。｝を
｛【作用】
一対のガイド体（１４７、１４７）は、主溝（１４８、１４８）に沿って移動できるため、大きさを異にする表示器（１８）を取り付けることができると共に移動できる。｝に訂正する。
（ｄ）全文訂正明細書中の【００１０】における
｛尚、一対のガイド体１４７、１４７は、ビス４９を弛緩することによって、各々単独に主溝１４８、１４８に沿って移動でき、表示器１８の大きさに合わせて移動させた後にビス４９止めし、ビス５０を介して表示器１８を取り付ける。｝を
｛尚、一対のガイド体１４７、１４７は、ビス４９を弛緩することによって、主溝１４８、１４８に沿って移動でき、表示器１８の大きさに合わせて移動させ後にビス４９止めし、ビス５０を介して表示器１８を取り付ける。｝に訂正する。
（ｅ）全文訂正明細書中の【００１１】における
｛本発明のパチンコ機の表示器は、単独に移動可能な一対のガイド体に取り付けるので、種々の大きさのものに対応できるし、｝を
｛本発明のパチンコ機の表示器は、移動可能な一対のガイド体に取り付けるので、種々の大きさのものに対応できるし、｝に訂正する。
（２）訂正請求書の「（２）訂正の要旨」
（ａ）「▲１▼特許請求の範囲の請求項１を……」における
｛前記一対のガイド体（１４７、１４７）を、各々単独に、前記主溝（１４８、１４８）に沿って移動可能であると共に前記機構板（４１）に固定可能に形成することを特徴とするパチンコ機の表示器。」に訂正する。｝を
｛前記一対のガイド体（１４７、１４７）を、前記主溝（１４８、１４８）沿って移動可能であると共に前記機構板（４１）に固定可能に形成することを特徴とするパチンコ機の表示器。」に訂正する。｝に訂正する。
（ｂ）「▲２▼明細書の【０００４】及び【０００５】を……」における
｛前記一対のガイド体（１４７、１４７）を、各々単独に、前記主溝（１４８、１４８）に沿って移動可能であると共に前記機構板（４１）に固定可能に形成するものである。」を
｛前記一対のガイド体（１４７、１４７）を、前記主溝（１４８、１４８）に沿って移動可能であると共に前記機構板（４１）に固定可能に形成するものである。」に訂正する。
（ｃ）「▲２▼明細書の【０００４】及び【０００５】を……」における
｛【０００５】
　【作用】
一対のガイド体（１４７、１４７）は、各々単独に、主溝（１４８、１４８）に沿って移動できるため、大きさを異にする表示器（１８）を取り付けることができると共に移動できる。｝を
｛【０００５】
　【作用】
一対のガイド体（１４７、１４７）は、主溝（１４８、１４８）に沿って移動できるため、大きさを異にする表示器（１８）を取り付けることができると共に移動できる。｝に訂正する。
（ｄ）「▲３▼明細書【００１０】を……」における
｛尚、一対のガイド体１４７、１４７は、ビス４９を弛緩することによって、各々単独に主溝１４８、１４８に沿って移動でき、表示器１８の大きさに合わせて移動させた後にビス４９止めし、ビス５０を介して表示器１８を取り付ける。｝を
｛尚、一対のガイド体１４７、１４７は、ビス４９を弛緩することによって、主溝１４８、１４８に沿って移動でき、表示器１８の大きさに合わせて移動させ後にビス４９止めし、ビス５０を介して表示器１８を取り付ける。｝に訂正する。
（ｅ）「▲４▼明細書【００１１】を……」における
｛【００１１】
　【発明の効果】
本発明のパチンコ機の表示器は、単独に移動可能な一対のガイド体に取り付けるので、種々の大きさのものに対応できるし、……」に訂正する。｝を
｛【００１１】
　【発明の効果】
本発明のパチンコ機の表示器は、移動可能な一対のガイド体に取り付けるので、種々の大きさのものに対応できるし、……」に訂正する。｝に訂正する。
（３）訂正請求書の「（３）訂正の原因と訂正が認められる根拠」
（ａ）（イ）「▲１▼特許請求の範囲の請求項１は、……」における
｛前記表示器は、上下或いは左右に連続的に移動可能であり，適宜の位置に固定できる」構成であるが、……従って、この訂正の構成は、特許請求の範囲の減縮に該当する。｝を
｛前記表示器１８は、上下或いは左右に連続的に移動可能であり、適宜の位置に固定できる」構成である。この訂正は、出願時の明細書【００１０】に「即ち、表示器１８はビス４９を弛緩することによって図１０の左右動が可能となり、ビス５０を弛緩することによって図１０の上下動が可能になっている。従って、遊技板６０は、表示器１８を特定位置としてデザインする必要がなく、種々の位置に設置することを想定してデザインすることができる。」が根拠である。従って、この訂正は、表示器の左右及び上下動が可能であることを構成したことに過ぎず、構成は明瞭であると共に、特許成立時の特許請求の範囲に比して減縮に該当する。｝に訂正する。
（ｂ）「（ハ）▲３▼明細書【００１０】における訂正は、……」における
｛（ｃ）また、「尚、一対のガイド体１４７、１４７は、ビス４９を弛緩することによって、各々単独に、主溝１４８、１４８に沿って移動でき、表示器１８の大きさに合わせて移動させた後に、ビス５０を介して表示器１８を取り付ける。」旨の記載は、出願時の明細書の記載事項と図１０に対応して、明確に記載したものです。即ち、ガイド体１４７、主溝１４８、副溝１４７ａ、ビス４９、５０の構成び作用を明確になるように訂正した。｝を
｛（ｃ）また、「尚、一対のガイド体１４７、１４７は、ビス４９を弛緩することによって、主溝１４８、１４８に沿って移動でき、表示器１８の大きさに合わせて移動させた後にビス４９止めし、ビス５０を介して表示器１８を取り付ける。」旨の記載は、出願時の明細書【００１０】に「即ち、表示器１８はビス４９を弛緩することによって図１０の左右動が可能となり、ビス５０を弛緩することによって図１０の上下動が可能になっている。」を根拠に明確に記載したものです。即ち、ガイド体１４７、主溝１４８、副溝１４７ａ、ビス４９、５０の構成及び作用を明確になるように訂正した。｝に訂正する。
（ｃ）「（二）▲４▼明細書【００１１】における訂正は、……」における
｛（二）▲４▼明細書【００１１】における訂正は、……従って、このガイド体の構成から、当業者なら容易に判断できる効果である。」を
｛（二）▲４▼明細書【００１１】における訂正は、前記明細書【００１０】の記載に基づいて特許発明の構成及び作用から奏する効果である。この効果における「移動可能な一対のガイド体に取り付けるので、種々の大きさの表示器に対応できる」旨の記載は、前記（ハ）▲３▼明細書【００１０】における訂正に基づくものである。即ち、「一対のガイド体１４７、１４７は、ビス４９を弛緩することによって、主溝１４８、１４８に沿って移動でき、表示器１８の大きさに合わせて移動させた後にビス４９止めし、ビス５０を介して表示器１８を取り付ける。」を根拠にしている。｝に訂正する。
ロ．補正の適否
補正（１）について
　補正（１）（ａ）は、全文訂正明細書の特許請求の範囲の請求項１の訂正を目的とするものであり、明りょうでない記載の釈明を目的とするものであり、補正（１）（ｂ）〜（ｅ）は、補正（１）（ａ）に伴い、それとの整合を図るため、全文訂正明細書の詳細な説明の欄を訂正するものである。
補正（２）、（３）について
　補正（２）、（３）は、補正（１）に伴い、それとの整合をはかるため、訂正請求書を補正するものであり、これらの補正は、訂正請求書の要旨を変更するものではなく、特許法第１２０条の４第３項で準用する同法第１３１条第２項の規定に適合するので、上記補正を認める。
ＩＩＩ．訂正の適否についての判断
１．訂正の要旨
▲１▼特許請求の範囲の請求項１を「開口孔（６５）を穿設した遊技板の裏面側に機構板（４１）を配設し、前記開口孔（６５）から可視可能に前記機構板（４１）へ取り付けるパチンコ機の表示器であって、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）を、前記主溝（１４８）に沿って移動可能であると共に前記機構板（４１）に固定可能に形成することを特徴とするパチンコ機の表示器。」に訂正する。
▲２▼明細書の【０００４】及び【０００５】を
「【０００４】
　　【課題を解決するための手段】
　請求項１の表示器は、開口孔（６５）を穿設した遊技板の裏面側に機構板（４１）を配設し、前記開口孔（６５）から可視可能に機構板（４１）へ取り付けるものであり、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）を、前記主溝（１４８、１４８）に沿って移動可能であると共に前記機構板（４１）に固定可能に形成するものである。
　【０００５】
　【作用】
一対のガイド体（１４７、１４７）は、主溝（１４８、１４８）に沿って移動できるため、大きさを異にする表示器（１８）を取り付けることができると共に移動できる。
　又、一対のガイド体（１４７、１４７）に取り付ける表示器（１８）は、副溝（１４７ａ、１４７ａ）に沿って、前記ガイド体（１４７、１４７）の移動方向と直角方向に移動可能である。
　従って、種々の大きさの表示器（１８）をガイド体（１４７、１４７）に取り付けることができると共に、ガイド体（１４７、１４７）に取付けた表示器（１８）は、左右、上下に移動して固定できるので、種々のデザインの遊技板に対応することができる。」に訂正する。
▲３▼明細書【００１０】を
「【００１０】
（第５の実施の形態）
　本実施の形態は、表示器１８を移動可能に機構板４１を構成するカバー４４内に取着したものであって、遊技板６０の新たなデザインに容易に対応することができる。
　図８は機構板４１の裏面に取り付けられるカバー４４の平面図、図９は図８のＢ〜Ｂ矢視を示す側面図、図１０は裏面図、図１１は図１０のＣ〜Ｃ断面図である。カバー４４は箱型に形成され、機構板４１に開閉可能で且つ装脱可能に回動体４４ａが取着され、他端部に固定用のネジ止め孔４６が形成されている。又、カバー４４の表面には左右方向に一対の主溝１４８が穿設されていて、断面が４角状で頂面に副溝１４７ａ（前記主溝１４８と垂直方向）が形成してあるガイド体１４７は、前記主溝１４８を介してカバー４４にビス４９止めされる。
　一方、表示器１８が固定された表示駆動手段を内蔵する制御箱２１の両端部には孔（図示略）が穿孔されていて、前記ガイド体１４７の副溝１４７ａを介してビス５０止めされる。尚、一対のガイド体１４７、１４７は、ビス４９を弛緩することによって、主溝１４８、１４８に沿って移動でき、表示器１８の大きさに合わせて移動させた後にビス４９止めし、ビス５０を介して表示器１８を取り付ける。
　又、ガイド体１４７、１４７に取り付けた表示器１８は、ビス４９を弛緩することによって、図１０の左右動が可能であると共に、ビス５０を弛緩することによって、表示器１８自体が図１０の上下動可能となる。
　従って、遊技板６０は、表示器１８を特定位置としてデザインする必要がなく、種々の位置に設置することを想定してデザインすることができる。尚、遊技板６０に穿設される開口孔６５の位置は、前記表示器１８を固定した位置に対応するようにあけることはいうまでもない。
　この様に、表示器１８を移動可能に機構板４１に取り付けることによって、種々のデザインを施した遊技板に対応することができ、より一層、表示器１８の再利用を可能とする。尚、前記表示器１８には表示制御手段を有する制御箱２１と組み合せた状態を例示してあるが、表示器１８だけを移動可能に形成したり等、前記第１〜４の実施の形態に示すように構成して表示器１８を移動可能にすることも可能である。」に訂正する。
▲４▼明細書【００１１】を
「【００１１】
　　【発明の効果】
　本発明のパチンコ機の表示器は、移動可能な一対のガイド体に取り付けるので、種々の大きさのものに対応できるし、ガイド体に取付けた表示器は、左右、上下に移動できると共に固定でき、開口孔から可視可能となるので、種々のデザインの遊技板に対応できて省資源に役に立つ。」に訂正する。
▲５▼明細書の符号の説明において
「１４７ａ　副溝
　１４８　　主溝」を追加する。
▲６▼「図８、図１０、図１１」における符号「４７」を「１４７」に、「４７ａ」を「１４７ａ」に、「４８」を「１４８」に訂正する。
２．訂正の目的の適否、新規事項の有無および拡張・変更の存否
（１）訂正事項▲１▼は、願書に添付した明細書の段落番号【００１０】に「即ち、表示器１８はビス４９を弛緩することによって図１０の上下動が可能になっている。従って、遊技板６０は、表示器１８を特定位置としてデザインする必要がなく、種々の位置に設置することを想定してデザインすることができる。」と記載されていることに基づくものである。したがって、上記訂正は、願書に添付した明細書および図面に記載した事項の範囲内のものであり、実質上特許請求の範囲を拡張又は変更するものではない。
（２）訂正事項▲２▼は、訂正事項▲１▼による訂正後の特許請求の範囲の記載と発明の詳細な説明の記載との整合を図るためのものであり、明りょうでない記載の釈明を目的とするものである。
（３）訂正事項▲３▼は、誤記の訂正を目的とし、また、願書に添付した明細書の段落番号【００１０】における「表示器１８はビス４９を弛緩することによって図１０の左右動が可能となり、ビス５０を弛緩することによって図１０の上下動が可能となっている。」との記載および図１０の記載に基づくものであり、明りょうでない記載の釈明を目的とするものである。
（４）訂正事項▲４▼は、訂正事項▲３▼による訂正との整合を図ることためのものであり、明りょうでない記載の釈明を目的とするものである。
（５）訂正事項▲５▼、▲６▼は明りょうでない記載の釈明を目的とするものである。
３．独立特許要件
（１）訂正後の請求項１に係る発明（以下、「本件発明」という。）は、特許請求の範囲の請求項１に記載された次の事項によって特定されるとおりのものである。
「開口孔（６５）を穿設した遊技板の裏面側に機構板（４１）を配設し、前記開口孔（６５）から可視可能に前記機構板（４１）へ取り付けるパチンコ機の表示器であって、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）を、前記主溝（１４８）に沿って移動可能であると共に前記機構板（４１）に固定可能に形成することを特徴とするパチンコ機の表示器。」（以下、「本件発明」という。）
（２）引用刊行物
　当審が通知した取消理由において引用した各刊行物には、以下の事項が記載されている。
刊行物１：実願昭５５−５８７３号（実開昭５６−１０９７９０号）の全文明細書及び図面
刊行物２：実願昭５４−１８１４２４号（実開昭５６−９８２８９号）の全文明細書及び図面
刊行物３：実願昭５４−１１１５８２号（実開昭５６−３０９８９号）の全文明細書及び図面
　刊行物１には、「第１図は本考案の対象とするパチンコ機としてコイン式パチンコ機を例示するものである。前面枠Ｆに備えられた遊技盤１にはその中央部に透孔２が穿設され、この透孔２にＣＲＴ３の表示部４が臨んでいる。」（明細書第２頁１９行〜第３頁３行を参照。）が記載され、「外枠２０はＣＲＴ３を収納するに充分な奥行きを有し、その上板２１下面には取付枠２２が垂下固定されている。取付枠２２は、…取付ベース板２５と、このベース板から下方に延設した左右一対の取付脚２６とを備えており、一対の取付脚２６間に可動枠２７が支持されている。・・・可動枠２７は、・・・取付ボルト２８に螺合させた蝶ナット３０の螺合位置を変えることにより左右方向の位置調整を行うこともできる。かくして可動枠２７の内部には、ＣＲＴ収納ケース３１を支持する。・・・したがってケース３１は、上記可動枠２７の場合から容易に理解されるように、長孔３３によって左右方向に、また蝶ナット３４の螺合位置の変化によって上下方向に位置調節ができる。」（明細書第４頁２行〜第５頁９行を参照。）が記載されている。
刊行物２には、「第１図は本考案の対象とするパチンコ機としてコイン式パチンコ機を例示するもので、遊技盤１にはそのほぼ中央部に透孔２が穿設され、この透孔２にＣＲＴ３の表示部４が臨んでいる。」（明細書第２頁１８行〜第３頁１行を参照。）が記載され、「外枠２０はＣＲＴ３を収納するに充分な奥行きを有し、その内部上側に前面取付板２２を有する保持ケース２３が設けられている。保持ケース２３は外枠２０の内側に取付けた一対の支持金具３０に支持されたもので、その詳細は第４図ないし第６図に明らかである。支持金具３０は…垂直壁を外枠２０との取付壁３１、水平壁を保持ケース２３の支持壁３２としている。取付壁３１には上下に長い長孔３３が穿設され、この長孔に挿入する止めねじ３４によって支持金具３０が外枠２０に固定される。したがって支持金具３０および保持ケース２３は長孔３３の有効長分だけ上下位置調節できる。」（明細書第３頁１９行〜第４頁１３行を参照）が記載され、「ＣＲＴ３の前部外周には取付片２５を有する・・・前面取付板２２に当接する取付片２５には横方向に長い長孔２７が穿設されている。したがって止めねじ２８を長孔２７に挿入してＣＲＴ３を固定する際、ＣＲＴの左右方向の位置調節ができる。・・・本パチンコ機によればＣＲＴ３は保持ケース２３に支持され・・・ＣＲＴ３の位置は、支持金具３０の長孔３３、３５によって上下および前後に調節可能であり、また取付片２５の長孔２７により左右に調節可能であるのでＣＲＴ３の表示部４を容易に透孔２のプロテクク３８（第５図）に合致させることができる。」（明細書第５頁７行〜第６頁４行を参照。）が記載されている。
刊行物３には、「遊技部を全面的にプラウン管で構成した映像表示式パチンコ機であって、前部外周に固定バンドを嵌め込んだブラウン管を、当該固定バンドに設けた取付金具を介して、パチンコ機本体の木枠内前部に嵌着された取付ベース枠と取付枠とから構成される枠体に、組み付けて成る映像表示式パチンコ機。」（実用新案登録請求の範囲）が記載され、「前面枠４の中央部には抜き窓１０を開設してガラス板１１を嵌め込み、本体１内に収納したブラウン管６の前面を保護する。・・・本体１の前面からガラス板１１を通してブラウン管６を見たときに必要画面しか見えないようになっている。」（明細書第３頁７行〜第４頁３行を参照。）が記載され、「本考案は上記のようにしてなるので、ブラウン管を極めて簡単に上下左右に位置調整しながら取り付けることができ、」（明細書第７頁８行〜１０行を参照。）が記載されている。
（３）対比・判断
　本件発明と上記刊行物１乃至３に記載された発明とを照合対置すると、上記刊行物１乃至３のいずれにも、本件発明の構成である「遊技板の裏面側に機構板（４１）を配設し、前記開口孔（６５）から可視可能に前記機構板（４１）へ取り付けるパチンコ機の表示器であって、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記（１４７ａ）に対して直角方向に一対の主溝（１４８）を形成し、前記一対のガイド体（１４７、１４７）を、前記主溝（１４８）に沿って移動可能であると共に前記機構板（４１）に固定可能に形成する」についての記載および前記構成を示唆する記載がなく、かつ、上記各刊行物１乃至３に記載された事項を寄せ集めても、上記構成を当業者が容易に想到することはできない。
　そして、本件発明は、上記構成を具備することにより、「本発明のパチンコ機の表示器は、移動可能な一対のガイド体に取り付けるので、種々の大きさのものに対応できるし、ガイド体に取付けた表示器は、左右、上下に移動できると共に固定でき、関口孔から可視可能となるので、種々のデザインの遊技板に対応できて省資源に役に立つ。」という明細書に記載されたとおりの格別な効果を奏するものであり、本件発明は、上記各刊行物１乃至３に記載された発明に基づいて当業者が容易に発明をすることができたものではない。
　したがって、本発明は、特許出願の際独立して特許を受けることができるものである。
（４）むすび
　以上のとおりであるから、上記訂正は、特許法第１２０条の４第２項および第３項で準用する同法第１２６条第２項乃至第４項の規定に適合するので、当該訂正を認める。
ＩＩＩ．特許異議申立てについて
　特許異議申立人は、甲第１号証として実願昭５５−５８７３号（実開昭５６−１０９７９０号）の全文明細書及び図面、甲第２号証として実願昭５４−１８１４２４号（実開昭５６−９８２８９号）全文明細書及び図面、甲第３号証として実願昭５４−１１１５８２号（実開昭５６−３０９８９号）の全文明細書及び図面、甲第４号証として実願昭５４−１８１４２５号（実開昭５６−９８２９０号）全文明細書及び図面および甲第５号証として実願昭５４−１３８８８３号（実開昭５６−５６３８５号）の全文明細書及び図面を提出して、本件特許発明は、甲第１号証（又は甲第２号証，又は甲第３号証）と甲第５号証に記載された発明に基づいて、その発明の属する技術の分野における通常の知識を有する者が容易に発明をすることができたものであるから、第２９条第２項の規定に該当し、これらにより特許を受けることができないものであり、特許法第１１３条１項第２号の規定により取り消すべきものである旨主張している。
（１）各甲号証について
　甲第１号証、甲第２号証および甲第３号証は、取消理由で引用した刊行物１、刊行物２および刊行物３であることから、甲第１号証乃至甲第３号証の記載内容は、上記ＩＩＩ．３．（２）「引用刊行物」で示したものと同様である。
　甲第４号証には、「（１）遊技盤を有する前面枠を外枠に開閉自在に取付け、上記遊技盤に形成した透孔にＣＲＴの表示部を臨ませてなるＣＲＴを備えたパチンコ機において、上記外枠内に該外枠内を前後に区画する中仕切板を設け、この中仕切板に上記ＣＲＴを支持させたことを特徴とするＣＲＴを備えたパチンコ機。
（２）中仕切板が外枠に前後位置調節可能に取付けられている実用新案登録請求の範囲第１項記載のＣＲＴを備えたパチンコ機。」（実用新案登録請求の範囲）
　甲第５号証には、「この考案の可変表示器付遊技機は、前面枠部材１０と、遊技盤２０と、遊技盤２０を着脱自在に装着するケーシング３０と、機構板４０と、その前面に前面枠部材１０を開閉自在に取付けることによって遊技盤２０，ケーシング３０，機構板４０その他各種部品を一体的に収納しかつ遊技機本体として用いられる筐体５０とから構成され、それぞれ分離可能に取付けられる。」（明細書第６頁第１８行〜第７頁第６行を参照。）が記載され、「前記遊技盤２０は、そのほぼ中央部に可変表示器の一例の組合せ表示器２１が関連的に設けられる。この組合せ表示器２１は、後述の玉受口３５に対応する複数の表示部を含み、その前面に玉受口３５に対応する識別情報（例えば数字）の描かれた表示板を設け、その裏側に表示ランプ（または発光ダイオード）を設けて構成される。なお好ましくは、各表示部の裏側に内蔵される表示ランプが後述の機構板４０に配設される。」（明細書第９頁１行〜９行を参照。）が記載され、「機構板４０の前面上部には、前記窓２５，２６に対応して得点表示器４５と表示器４６とが左右に設けられる。」（明細書第１３頁１３行〜１５行を参照。）が記載されている。
（対比・判断）
　本件発明と各甲号証にそれぞれ記載された発明とを対比すると、各甲号証には、本件発明の構成である「遊技板の裏面側に機構板（４１）を配設し、前記開口孔（６５）から可視可能に前記機構板（４１）へ取り付けるパチンコ機の表示器であって、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）を、前記主溝（１４８）に沿って移動可能であると共に前記機構板（４１）に固定可能に形成する」点が記載または示唆されていない。
　かつ、上記各刊行物１乃至３に記載された事項を寄せ集めても、上記構成を当業者が容易に想到することはできない。
　本件発明は、上記構成を具備することにより、明細書に記載されたとおりの格別顕著な効果を奏するものである。
　したがって、本件発明は、甲第１号証乃至甲第５号証に記載された発明に基づき当業者が容易に発明をすることができたものではなく、特許異議申立人の主張を採用しない。
ＩＶ．むすび
　以上のとおりであるから、特許異議申立ての理由および証拠によっては本件発明の特許を取り消すことはできない。
　また、他に本件発明の特許を取り消すべき理由を発見しない。
　よって、結論のとおり決定する。
【異議決定日】
平成１１年１１月１５日（１９９９．１１．１５）
【訂正の要旨】
訂正の要旨
▲１▼特許請求の範囲の請求項１を「開口孔（６５）を穿設した遊技板の裏面側に機構板（４１）を配設し、前記開口孔（６５）から可視可能に前記機構板（４１）へ取り付けるパチンコ機の表示器であって、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）を、前記主溝（１４８）に沿って移動可能であると共に前記機構板（４１）に固定可能に形成することを特徴とするパチンコ機の表示器。」に訂正する。
▲２▼明細書の【０００４】及び【０００５】を
「【０００４】
　　【課題を解決するための手段】
　請求項１の表示器は、開口孔（６５）を穿設した遊技板の裏面側に機構板（４１）を配設し、前記開口孔（６５）から可視可能に機構板（４１）へ取り付けるものであり、頂面に副溝（１４７ａ）を形成の一対のガイド体（１４　７、１４　７）に、前記表示器（１８）を、その副溝（１４７ａ）に沿って移動可能であると共に固定可能に形成し、前記機構板（４１）に、前記副溝（１４７ａ）に対して
直角方向に一対の主溝（１４８）を形成し、前記一対のガイド体（１４７、１４７）を、前記主溝（１４８、１４８）に沿って移動可能であると共に前記機構板（４１）に固定可能に形成するものである。
　【０００５】
　【作用】
一対のガイド体（１４７、１４７）は、主溝（１４８、１４８）に沿って移動できるため、大きさを異にする表示器（１８）を取り付けることができると共に移動できる。
　又、一対のガイド体（１４７、１４７）に取り付ける表示器（１８）は、副溝（１４７ａ、１４７ａ）に沿って、前記ガイド体（１４７、１４７）の移動方向と直角方向に移動可能である。
　従って、種々の大きさの表示器（１８）をガイド体（１４７、１４７）に取り付けることができると共に、ガイド体（１４７、１４７）に取付けた表示器（１８）は、左右、上下に移動して固定できるので、種々のデザインの遊技板に対応することができる。」に訂正する。
▲３▼明細書【００１０】を
「【００１０】
（第５の実施の形態）
　本実施の形態は、表示器１８を移動可能に機構板４１を構成するカバー４４内に取着したものであって、遊技板６０の新たなデザインに容易に対応することができる。
　図８は機構板４１の裏面に取り付けられるカバー４４の平面図、図９は図８のＢ〜Ｂ矢視を示す側面図、図１０は裏面図、図１１は図１０のＣ〜Ｃ断面図である。カバー４４は箱型に形成され、機構板４１に開閉可能で且つ装脱可能に回動体４４ａが取着され、他端部に固定用のネジ止め孔４６が形成されている。又、カバー４４の表面には左右方向に一対の主溝１４８が穿設されていて、断面が４角状で頂面に副溝１４７ａ（前記主溝１４８と垂直方向）が形成してあるガイド体１４７は、前記主溝１４８を介してカバー４４にビス４９止めされる。
　一方、表示器１８が固定された表示駆動手段を内蔵する制御箱２１の両端部には孔（図示略）が穿孔されていて、前記ガイド体１４７の副溝１４７ａを介してビス５０止めされる。尚、一対のガイド体１４７、１４７は、ビス４９を弛緩することによって、主溝１４８、１４８に沿って移動でき、表示器１８の大きさに合わせて移動させた後にビス４９止めし、ビス５０を介して表示器１８を取り付ける。
　又、ガイド体１４７、１４７に取り付けた表示器１８は、ビス４９を弛緩することによって、図１０の左右動が可能であると共に、ビス５０を弛緩することによって、表示器１８自体が図１０の上下動可能となる。
　従って、遊技板６０は、表示器１８を特定位置としてデザインする必要がなく、種々の位置に設置することを想定してデザインすることができる。尚、遊技板６０に穿設される開口孔６５の位置は、前記表示器１８を固定した位置に対応するようにあけることはいうまでもない。
　この様に、表示器１８を移動可能に機構板４１に取り付けることによって、種々のデザインを施した遊技板に対応することができ、より一層、表示器１８の再利用を可能とする。尚、前記表示器１８には表示制御手段を有する制御箱２１と組み合せた状態を例示してあるが、表示器１８だけを移動可能に形成したり等、前記第１〜４の実施の形態に示すように構成して表示器１８を移動可能にすることも可能である。」に訂正する。
▲４▼明細書【００１１】を
「【００１１】
　　【発明の効果】
　本発明のパチンコ機の表示器は、移動可能な一対のガイド体に取り付けるので、種々の大きさのものに対応できるし、ガイド体に取付けた表示器は、左右、上下に移動できると共に固定でき、開口孔から可視可能となるので、種々のデザインの遊技板に対応できて省資源に役に立つ。」に訂正する。
▲５▼明細書の符号の説明において
「１４７ａ　副溝
　１４８　　主溝」を追加する。
▲６▼「図８、図１０、図１１」における符号「４７」を「１４７」に、「４７ａ」を「１４７ａ」に、「４８」を「１４８」に訂正する。
（５４）【発明の名称】
パチンコ機の表示器
（５７）【特許請求の範囲】
　　【請求項１】　開口孔（６５）を穿設した遊技板の裏面側に機構板（４１）を配設し、前記開口孔（６５）から可視可能に前記機構板（４１）へ取り付けるパチンコ機の表示器であって、
　頂面に副溝（１４７ａ）を形成の一対のガイド体（１４７、１４７）に、前記表示器（１８）を、その副溝（１４７ａ）に沿って移動可能であると共に固定可能に形成し、
　前記機構板（４１）に、前記副溝（１４７ａ）に対して直角方向に一対の主溝（１４８）を形成し、
　前記一対のガイド体（１４７、１４７）
を、前
【発明の詳細な説明】
　【０００１】
　【発明の属する技術分野】
　本発明は、パチンコ機に使用される表示器に関する。
　【０００２】
　【従来の技術】
　従来のパチンコ機を構成する主たる構成部品を図１２、遊技板を取り付けたパチンコ機の横断面を図１３、又、パチンコ機の正面図を図１４に示す。
　パチンコ機は、先ず、前面枠６を回動具６ａを介して木枠１に開閉可能に取付け、該前面枠６に裏枠３を組み付けた後に、機構板２を裏枠３に開閉可能に組み付ける。一方、前面枠６の前側にガラス枠７を取付け、この前面枠６に開閉自在に取着された前板２２に遊技球を貯留し、且つ遊技球を発射位置に供給する上皿８を固定し、上皿８の下位置に下皿９を前面枠６に取り付けて、発射装置５ａ及び操作ハンドル５を取り付けて完了する。
　尚、遊技板４は裏枠３に内挿し、裏枠３に装脱可能になっている。又、この遊技板４の表側には、ほぼ中央に表示器１８、普通入賞口１０〜１４、前記表示器１８の図柄を変動させる始動口１５〜１７が適宜、配設されている。
　尚、表示器１８は図１３に示すように、遊技板４に穿設された開口孔４ａに対応する位置に、前記表示器１８の表示制御をなす表示駆動手段を内蔵する制御箱２１を介して入賞球集合カバー１９に固定されている。
　尚、前記表示器１８は図示略の主制御装置からの信号によって表示駆動手段を介して表示される。２０は前記表示器１８及び開口孔４ａの周縁を装飾する飾り具であって、開口孔４ａの周縁に装着してある。
　又、２３は前記表示器１８を防御するカバーであって、機構板２に開閉可能に取着してある。前記表示器１８は、当初はＬＥＤで数字を表すのが主流であったが、咋今ではカラー液晶を使用してより複雑で面白い図柄等を表示してゲームの向上を図っている。
　【０００３】
　【発明が解決しようとする課題】
　パチンコ機の表示器に同じ図柄等をいつまでも表示しているのでは、遊技者の興味が減少して売上減少を招来する為、パチンコ店では時々遊技板を取り替えて異なる図柄を表示するようにしている。この取り替えられた遊技板は、廃棄処分となり再利用されず、パチンコ店の経費の負担となると共に省資源に役に立っていない。特に、カラー液晶の表示器は高価であり廃棄処分にすることは不経済であり、表示内容の記憶素子（ＲＯＭ）や制御ソフトウエア等を変更すれば他の図柄のゲームに使用可能である。
　そこで、本発明はかかる問題点を解消して再利用可能なパチンコ機の表示器を提供するものである。
　【０００４】
　【課題を解決するための手段】
　請求項１の表示器は、開口孔（６５）を穿設した遊技板の裏面側に機構板（４１）を配設し、前記開口孔（６５）から可視可能に機構板（４１）へ取り付けるものであり、頂面に副溝（１４７ａ）を形成の一対のガイド体（１４７、１４７）に、前記表示器（１８）を、その副溝（１４７ａ）に沿って移動可能であると共に固定可能に形成し、前記機構板（４１）に、前記副溝（１４７ａ）に対して直角方向に一対の主溝（１４８）を形成し、前記一対のガイド体（１４７、１４７）
を、前
　【０００５】
　【作用】
　一対のガイド体（１４７、１４７）
は、主
　又、一対のガイド体（１４７、１４７）に取り付ける表示器（１８）は、副溝（１４７ａ、１４７ａ）に沿って、前記ガイド体（１４７、１４７）の移動方向と直角方向に移動可能である。
　従って、種々の大きさの表示器（１８）をガイド体（１４７、１４７）に取り付けることができると共に、ガイド体（１４７、１４７〕）に取付けた表示器（１８）は、左右、上下に移動して固定できるので、種々のデザインの遊技板に対応することができる。
　【０００６】
　【実施の形態】
　実施の形態を、パチンコ機を構成する主部品を示す図１、遊技板６０の裏面を示す図２、パチンコ機の正面図を示す図３を参照して説明する。尚、従来と同じ部品には同じ符号を附す。
　１は木枠、６は前面枠であって、この前面枠６は前記木枠１に開閉可能に取付けられる。３は裏枠であって前記前面枠６の裏面に組み付けられ、組付けた後に、機構板４１が前記裏枠３に開閉可能に取着される。一方、前面枠６の前側にはガラス枠７が取り付けられと共に、発射装置５ａ及び操作ハンドル５、上皿８及び下皿９が各々所定位置に取り付けられる。又、遊技板６０は裏枠３内に装脱可能に取着され、容易に取り替え可能となっている。
　図２は遊技板６０の裏面を示し、図３は遊技板６０を装着したパチンコ機の表側を示している。遊技板６０のほぼ中央部には、表示器１８をパチンコ機の表側から可視可能とする開口孔６５が穿設されていて、その周縁に飾り具６４が装着してある。又、６１、６２、６６は各々対称位置に設けられた装飾具６１ａ、６２ａ、６６ａの取付け孔である。又、遊技板６０には、普通入賞口１０、１１、１３、前記表示器１８の図柄を変動させる始動口１５、１６が適宜、配設されていて、かかる入賞口に入った遊技球は、入賞球集合カバー６７を介して出口６７ａから排出される。
　又、大入賞口１９は図柄表示器１８の下部に配設されていて、前記図柄表示器１８に所定の図柄が表示されて大当たりとなったとき、ソレノイド１７が作動して一定時間、或は所定数の遊技球が入るまで開状態を維持して遊技球を受け入れる。又、この前面枠６に開閉自在に取着された前板２２には、遊技球を貯留し、且つ遊技球を発射位置に供給するための上皿８が固定されている。操作ハンドル５は上皿８の右下部に、又、上皿８で溢れた遊技球を貯留する下皿９が操作ハンドル５の左部に各々配設されている。
　【０００７】
　図４〜図７は、図３のＡ〜Ａ断面（木枠１を図示せず）を示し、表示器１８の再利用が可能である構成を例示する。
（第１の実施の形態）
　本実施の形態は図４に示し、前面枠６は回動体６ａを介して木枠１（図示略）に開閉可能に取り付けられ、又、遊技板６０を収納する裏枠３は前記前面枠６の裏面に固定されている。尚、遊技板６０は裏枠３に収納されて図示略の固定具で固定されている。遊技板６０のほぼ中央には、後述の表示器１８を前側から可視できる開口孔６５が穿設されていて、飾り具６４が前記開口孔６５の周縁に装着してある。又、遊技板６０の裏面には、表示データ用ＲＯＭ、制御用ＲＯＭ、表示制御手段等を有する制御基板７１が取着してあり、この制御基板７１は主制御装置（図示略）からの信号によって作動して、表示器１８に図柄等を表す。
　一方、機構板４１は前記裏枠３に回動体４１ａを介して開閉可能に取着されている。又、機構板４１のほぼ中央部には、通気孔４４ｂを有する箱型のカバー４４が回動体４４ａで開閉可能に取り付けられていて、表示器１８が取着された表示駆動手段を内蔵する制御箱２１が、前記カバー４４内の支持体４５に固定されている。尚、前記制御基板７１から前記表示駆動手段への信号伝達はフレキシブル信号線４７でコネクター４７ａ、４７ｂを介して行う。
　前記構成のパチンコ機を組み立てた正面図は、図３に示すように、表示器１８は開口孔６５から可視でき、従来と同じ状態でゲームを行うことができる。一方、遊技板６０を取り替えるときにはコネクタ４７ａを外して行う。この遊技板６０は廃棄処分となるが、機構板４１に取着してある表示器１８及び制御箱２１内の表示駆動手段は再利用可能となる。即ち、表示内容を異にする制御基板７１を新たなデザインが施された遊技板６０の裏面に取着し、この遊技板６０に取り替えた後、コネクター４７ａを接続することによって、新たな表示内容を表す表示器１８とすることができる。
　【０００８】
（第２の実施の形態）
　本実施の形態は図５に示すように、第１実施の形態とは、制御基板７２を表示駆動手段を内蔵する制御箱２１に装脱可能に構成し、遊技板６０の裏面には表示データ用ＲＯＭ等を付設していない点を異にする。
　制御箱２１にコネクタ２１ａを設け、一方、制御基板７２を、第１の実施の形態と同じ制御基板をカバー７２ｂで覆って形成し、且つ、端部に前記コネクタ２１ａに着脱可能なコネクタ７２ａを付設して形成する。尚、カバー４４には通気孔４４ｂが穿孔されている。又、他の部品等は第１の実施の形態（図４）と同じであるため省略する。
　表示器１８の表示内容を替えるときには、前記通気孔４４ｂから制御基板７２を入れ替える。このため、遊技板６０を取り替えたとしても、表示器１８及び表示駆動手段の再利用を図ることができ、更に、遊技板６０を取り替えるか否かに拘らず、表示内容を替えるときには制御基板７２だけを取り替えることによって可能となる。
　【０００９】
（第３の実施の形態）
　本実施の形態は図６に示すように、表示器１８は、カバー４４内に設けられた支持体４５の両端部に固定されている支持部材４８に固定されている。一方、遊技板６０の裏面には、表示データ用ＲＯＭ、制御用ＲＯＭ、表示制御手段等と共に表示駆動手段を有する制御基板７３が付設されている。尚、表示器１８は、図示略に主制御装置によって制御され、前記制御基板７３からの信号をコネクタ４７ａ、４７ｂを連結するフレキシブル信号線４７を介して行う。尚、他の部品等は第１の実施の形態（図４）と同じであるため省略する。
本実施の形態の場合、遊技板６０を取り替えると、表示駆動手段等を含む表示制御基板７３が廃棄となるが、表示器１８だけは再利用可能である。
（第４の実施の形態）
　本実施の形態は図７に示すように、表示器１８はカバー４４内に支持部材４８で固定されていて、該支持部材４８には、後述の制御基板７４のコネクタ７４ａに着脱するコネクタ４８ａが設けられている。一方、制御基板７４は、前記第３の実施の形態の制御基板と同じ作用をなす表示データ用ＲＯＭ、制御用ＲＯＭ、表示制御手段等と共に表示駆動手段が組み込まれ、端部に前記コネクタ４８ａに着脱可能なコネクタ７４ａが付設されて、カバー７４ｂで覆われている。尚、他の部品等は第１の実施の形態（図４）と同じであるため省略する。
　表示器１８の内容を変更する場合には、前記制御基板７４を取り替えることによって可能であり、遊技板６０を取り替えたとしても、表示器１８を廃棄する必要はない。又、制御基板７４を取り替えることによって、新たな表示内容を表示することができる。
　【００１０】
（第５の実施の形態）
　本実施の形態は、表示器１８を移動可能に機構板４１を構成するカバー４４内に取着したものであって、遊技板６０の新たなデザインに容易に対応することができる。
　図８は機構板４１の裏面に取り付けられるカバー４４の平面図、図９は図８のＢ〜Ｂ矢視を示す側面図、図１０は裏面図、図１１は図１０のＣ〜Ｃ断面図である。カバー４４は箱型に形成され、機構板４１に開閉可能で且つ装脱可能に回動体４４ａが取着され、他端部に固定用のネジ止め孔４６が形成されている。又、カバー４４の表面には左右方向に一対の主溝１４８が穿設されていて、断面が４角状で頂面に副溝１４７ａ（前記主溝１４８と垂直方向）が形成してあるガイド体１４７は、前記主溝１４８を介してカバー４４にビス４９止めされる。
　一方、表示器１８が固定された表示駆動手段を内蔵する制御箱２１の両端部には孔（図示略）が穿孔されていて、前記ガイド体１４７の副溝１４７ａを介してビス５０止めされる。尚、一対のガイド体１４７、１４７は、ビス４９を弛緩することによっ
て、主
　又、ガイド体１４７、１４７に取り付けた表示器１８は、ビス４９を弛緩することによって、図１０の左右動が可能であると共に、ビス５０を弛緩することによって、表示器１８自体が図１０の上下動可能となる。
　従って、遊技板６０は、表示器１８を特定位置としてデザインする必要がなく、種々の位置に設置することを想定してデザインすることができる。尚、遊技板６０に穿設される開口孔６５の位置は、前記表示器１８を固定した位置に対応するようにあけることはいうまでもない。
　この様に、表示器１８を移動可能に機構板４１に取り付けることによって、種々のデザインを施した遊技板に対応することができ、より一層、表示器１８の再利用を可能とする。尚、前記表示器１８には表示制御手段を有する制御箱２１と組み合せた状態を例示してあるが、表示器１８だけを移動可能に形成したり等、前記第１〜４の実施の形態に示すように構成して表示器１８を移動可能にすることも可能である。
　【００１１】
　【発明の効果】
　本発明のパチンコ機の表示器
は、移
【図面の簡単な説明】
　【図１】
　パチンコ機を構成する主部品を示す図である。
　【図２】
　遊技板の裏面を示す図である。
　【図３】
　パチンコ機の正面を示す図である。
　【図４】
　図３のＡ〜Ａ断面（木枠を図示せず）を示す図である。
　【図５】
　図３のＡ〜Ａ断面（木枠を図示せず）を示す図である。
　【図６】
　図３のＡ〜Ａ断面（木枠を図示せず）を示す図である。
　【図７】
　図３のＡ〜Ａ断面（木枠を図示ぜず）を示す図である。
　【図８】
　カバーの平面を示す図である。
　【図９】
　図８のＢ〜Ｂ矢視を示す側面図である。
　【図１０】
　カバーの裏面を示す図である。
　【図１１】
　図１０のＣ〜Ｃ断面を示す図である。
　【図１２】
　従来のパチンコ機の主部品を示す図である。
　【図１３】
　従来のパチンコ機の横断面を示す図である。
　【図１４】
　従来のパチンコ機の正面を示す図である。
　【符号の説明】
　１　木枠
　３　裏枠
　６　前面枠
１８　表示器
４１　機構板
１４７ａ　副溝
６０　遊技板
６５　開口孔
７１、７２、７３、７４　制御基板
１４８　主溝